(57)【要約】      （修正有）【課題】思考力増進・取り組み意欲の加速、更に持久力増進面で効果が認められ、更に最近問題を担っている思考の健全化、老人惚けへの刺激効果も課題に取り入れ得る頭部冷却バンドを提供する。【解決手段】波形放熱部を備えた薄い軽合金長方形盤を折り返し成型し、冷却用セラミックタイルを単列又は複数列に接着した構成体を基本とする。此の単体のみの構成か或いは２個又は３個以上の集合構成により形成する方式による。【選択図】図１
0003150020.tif 000002
【実用新案登録請求の範囲】
【請求項１】
波形放熱部を備えた薄い軽合金長方形盤を折り返し成型し、冷却用セラミックタイルを単列又は複数列に接着した構成体を基本とする。此の単体のみの構成か或いは２個又は３個以上の集合構成により形成する方式による、頭部冷却と軽刺激を特徴とするベルトである。
【請求項２】
各構成体は可撓性・収縮性に富む紐又は帯状繊維により、環状になるよう連結し、その弾力を適度の（調整可能な）緊迫感を保つ根源力とするのを特徴とするベルトである。
【請求項３】
以上の構造は洗浄可能であり、清潔を保つ事が容易なのも特徴とするベルトである。
【請求項４】
百人百様の各人事なる頭蓋形状と皮膚感覚・感受性に対応して、それぞれに適応し得る融通性に富むのを特徴とするベルトである。
【請求項５】
外装（カバー）の形態と色彩（デザイン）による応用範囲の多彩と拡大は、想像を超えるものありと予測されるのも特徴とするベルトである。
【考案の詳細な説明】
【技術分野】
【０００１】本考案は頭部冷却バンドの製作案として、従来考案されて来た意匠登録、実用新案として登録して戴いた案をも含めて、総合的に纏めて完成したものです。【０００２】５年以上に及ぶ苦心惨憺の努力を御賢察賜り、本案の充実に御指導下さるよう御願い申し上げます。
【背景技術】
【０００３】実用新案第３１３３５４２号で登録戴いた当時より、接着技術の進歩著しく、此れに拠る軽合金との合体の画期的な新製品開発が今回の申請となっております。【０００４】頭部形態は百人百様、変化に富んでおります。此れに対応する為にバンドの形態も多様性が要求されますが、此の面でも本考案は満足を示します。
【考案が解決しょうとする課題】
【０００５】頭部冷却バンドの改良・向上により、貢献度を増す事にあります。個人差があるが此れの着用による思考力増進・取り組み意欲の加速、更に持久力増進面で効果が認められる。更に最近問題担っている思考の健全化、老人惚けへの刺激効果も課題に取り入れ得ると考えられます。
【問題を解決する為の手段】
【０００６】本頭部冷却バンドの利用が普及・拡大される事を期するにあります。
【考案の効果】
【０００７】前述〔０００５〕項に述べた様に思考力・意欲・持久力増進、更に明快・明朗化効果の可能性も期待し得ると勘考されます。
【図面の簡単な説明】
【０００８】
【図１】単体構成（１体型）の骨格構成図（此れを代表とし製法を概説します）アルミニュウム板を細分し、両側を折り曲げ補強してものを一部波型加工し、折り曲げ成型し、平滑部にセラミックタイルを接着し、頭頂部周囲曲面に合わせて曲げて円筒型とし、弾力繊維を通して環状に成型して完成品とする。
【図２】上記１体型の仕上がり図
【図３】２体型（セパレーツ）の仕上がり図
【図４】２体型（セパレーツ）の仕上がり図
【図５】４体型の骨格構成図
【図６】４体型の骨格構成図
【図１】
0003150020.tif 000003
【図２】
0003150020.tif 000004
【図３】
0003150020.tif 000005
【図４】
0003150020.tif 000006
【図５】
0003150020.tif 000007
【図６】
0003150020.tif 000008
【手続補正書】
【提出日】平成20年8月25日(2008.8.25)
【手続補正１】
【補正対象書類名】実用新案登録請求の範囲
【補正対象項目名】全文
【補正方法】変更
【補正の内容】
【実用新案登録請求の範囲】
【請求項１】
薄い軽合金長方形盤を素材とし約三分の一を波型加工し放熱効果増大を計りこれを中子に入れ折り返し成型し、内側平滑部（皮膚接触面）に冷却用セラミックタイルを単列又は複数列に接着した構成体を基本とする。此の単体のみの構成か或いは２個又は３個以上の集合構成により形成する．頭部の冷却と軽い緊迫感による刺激を特徴とするが，その組合せ方により多様な形態を生み出す可能性を特徴とする頭部冷却ベルトである。
【請求項２】
各構成体は軽金属管・樹脂管又は磁石用ステンレス薄板等による接合により複合体を構成する。又可撓性と収縮性に富む紐又は帯状繊維により、環状になる様連結する。頭部装着時にその弾力を各人の恣意に合う緊迫刺激感を保つ様に、強弱調整可能な力源としたのを特徴とする頭部冷却ベルトである。
【請求項３】
以上の構造は洗浄可能であり、清潔を保つ事が容易を特徴とする頭部冷却ベルトである。
【請求項４】
百人百様の各人異なる頭蓋形状と皮膚感覚並びに感受性に対応して、それぞれに適応し得る融通性に富むのを特徴とする頭部冷却ベルトである。
【請求項５】
外装（カバー）の形態と素材選択範囲の拡大，色彩の自在は、想像を超えるものありと予測される多様性を特徴とする頭部冷却ベルトである。この外装の範囲内には簡易な湿潤布使用による冷却効果大の水冷方式が含まれる。又、永久磁石の脱着が容易の為に任意による磁石の活用が可能であり、この効果の医療面における大きな貢献が期待される。
【手続補正書】
【提出日】平成20年11月12日(2008.11.12)
【手続補正１】
【補正対象書類名】実用新案登録請求の範囲
【補正対象項目名】全文
【補正方法】変更
【補正の内容】
【実用新案登録請求の範囲】
【請求項１】
波型放熱部を備えた薄い軽合金長方形盤を折り返し成型し、皮膚接触面にセラミックタイルを単列又は複数列に展着し、感触の改善を計った構成体を基本とする冷却バンド。
【請求項２】
冷却バンド単体のみの構成か或いは２個又は３個以上の集合構成により形成する方式による、頭部冷却と軽刺激を特徴とする請求項１記載の冷却バンド。
【請求項３】
各構成体は可撓・収縮性に富む紐又は帯状繊維により、環状になるよう連結しその弾力を適度の（調整可能な）緊迫感を保つ根源力とするのを特徴とする請求項１記載の冷却バンド。
【請求項４】
各構成体と水冷方式に使用する冷却布は洗浄可能であり、清潔を保つ事が容易なのも特徴とする請求項１記載の冷却バンド。
【請求項５】
セラミックタイルはマグネットと交換可能なのも特徴とする請求項１記載の冷却バンド。
【手続補正書】
【提出日】平成21年1月28日(2009.1.28)
【手続補正１】
【補正対象書類名】実用新案登録請求の範囲
【補正対象項目名】全文
【補正方法】変更
【補正の内容】
【実用新案登録請求の範囲】
【請求項１】
波型放熱部を備えた薄い軽合金長方形盤を折り返し成型し、皮膚接触面にセラミックタイルを単列又は複数列に展着し、感触と効果の改善を計った構成体を基本とする冷却バンド。
【請求項２】
冷却バンド単体のみの構成か或いは２個又は３個以上の集合構成により形成する方式による、頭部冷却作用と軽刺激作用を特徴とする請求項１記載の冷却バンド。
【請求項３】
各構成体は可撓・収縮性に富む紐又は帯状繊維により、環状になるよう連結しその弾力を使用者各個人に適合の緊迫感を保つ根源力とするのを特徴とする請求項１記載の冷却バンド。
【請求項４】
各構成体と水冷方式に使用する冷却布はいずれも洗浄可能であり、清潔を保つ事が容易なのも特徴とする請求項１記載の冷却バンド。
【請求項５】
マグネット片の付加使用可能であり、セラミックタイルはマグネット片と交換可能なのも特徴とする請求項１記載の冷却バンド。